(57)【特許請求の範囲】
【請求項１】
断熱箱体の開口部周縁に吸着するマグネットを有し、庫内の冷気の外部への流出を防止する軟質樹脂製のドアガスケットを扉裏面に取り付けた冷蔵庫において、
前記ドアガスケットは、
前記マグネットが挿入されるマグネット挿入部と、
前記扉裏面に形成された溝に嵌め込まれるアンカー部と、
前記アンカー部に一体に形成され、前記アンカー部が嵌め込まれる方向に対して略直角な方向に延びる取付部と、
前記マグネット挿入部と前記取付部との間をつなぐように設けられ、最も扉外側に位置し、断面形状が略Ｕ字状で前記扉外側に向かって凸となっている伸縮自在な第１の蛇腹部と、
前記マグネット挿入部と前記取付部との間をつなぐように設けられ、前記第１の蛇腹部よりも扉内側に位置し、断面形状が略Ｕ字状で前記扉内側に向かって凸となっている伸縮自在な第２の蛇腹部と、
前記マグネット挿入部と前記取付部との間をつなぐように設けられ、前記第２の蛇腹部よりもさらに前記扉内側に位置し、断面形状が略Ｕ字状で前記扉内側に向かって凸となっている伸縮自在な第３の蛇腹部と、
前記第２の蛇腹部の略Ｕ字の直線部分の途中を前記第３の蛇腹部につなぐつなぎ部とを備え、
前記第１の蛇腹部の断面での周長が、前記第２の蛇腹部と前記第３の蛇腹部とのそれぞれの断面での周長よりも短くなっており、
扉閉動作中に、前記第１の蛇腹部が前記取付部との連結部分を支点として変形し、前記第２の蛇腹部が前記つなぎ部との連結部分を支点として変形することを特徴とする冷蔵庫。
【請求項２】
前記第１の蛇腹部の軟質樹脂の厚さが、前記第２の蛇腹部と前記第３の蛇腹部とのそれぞれの軟質樹脂の厚さよりも厚くなっていることを特徴とする請求項１記載の冷蔵庫。
【請求項３】
断熱箱体の開口部周縁に吸着するマグネットを有し、庫内の冷気の外部への流出を防止する軟質樹脂製のドアガスケットを扉裏面に取り付けた冷蔵庫において、
前記ドアガスケットは、
前記マグネットが挿入されるマグネット挿入部と、
前記扉裏面に形成された溝に嵌め込まれるアンカー部と、
前記アンカー部に一体に形成され、前記アンカー部が嵌め込まれる方向に対して略直角な方向に延びる取付部と、
前記マグネット挿入部と前記取付部との間をつなぐように設けられ、最も扉外側に位置し、断面形状が略Ｕ字状で前記扉外側に向かって凸となっている伸縮自在な第１の蛇腹部と、
前記マグネット挿入部と前記取付部との間をつなぐように設けられ、前記第１の蛇腹部よりも扉内側に位置し、断面形状が略Ｕ字状で前記扉内側に向かって凸となっている伸縮自在な第２の蛇腹部と、
前記マグネット挿入部と前記取付部との間をつなぐように設けられ、前記第２の蛇腹部よりもさらに前記扉内側に位置し、断面形状が略Ｕ字状で前記扉内側に向かって凸となっている伸縮自在な第３の蛇腹部と、
前記第２の蛇腹部の略Ｕ字の直線部分の途中を前記第３の蛇腹部につなぐつなぎ部とを備え、
前記第１の蛇腹部の軟質樹脂の厚さが、前記第２の蛇腹部と前記第３の蛇腹部とのそれぞれの軟質樹脂の厚さよりも厚くなっており、
扉閉動作中に、前記第１の蛇腹部が前記取付部との連結部分を支点として変形し、前記第２の蛇腹部が前記つなぎ部との連結部分を支点として変形することを特徴とする冷蔵庫。
【請求項４】
前記つなぎ部が、前記第２の蛇腹部の略Ｕ字の直線部分の途中を前記第３の蛇腹部の前記取付部との連結部分につなぐことを特徴とする請求項１乃至３のいずれかに記載の冷蔵庫。
【発明の詳細な説明】
【技術分野】
【０００１】
この発明は、冷蔵庫に関する。さらに詳しくは、冷蔵庫の扉の冷気シールを行うドアガスケットに関する。
【背景技術】
【０００２】
従来の冷蔵庫は、扉が開く時、支軸を中心に反時計回りに回転し、ドアガスケットは外箱の二重フランジに密着している状態から徐々に内側に移動しドアガスケットに内蔵されたマグネットが二重フランジより離れて開放される。
【０００３】
扉が閉るときは、支軸を中心に時計周りに回転し、ドアガスケットは、二重フランジの内側から外側に向かって近づき、ドアガスケットに内蔵されたマグネットが吸着して、ドアガスケット密着部が二重フランジに密着し、冷気漏れを防止している（例えば、特許文献１，２参照）。
【特許文献１】特開２００４−１６２９８８号公報（第６頁、図６）
【特許文献２】特開平８−１２８７７６号公報
【発明の開示】
【発明が解決しようとする課題】
【０００４】
しかしながら、特許文献１に記載された冷蔵庫では、ドアガスケットの扉外側蛇腹部より、扉内側蛇腹部の周長（断面における曲線の長さ）を長くし、扉内側蛇腹部を伸びやすい断面形状としているので、マグネットの自重により扉内側蛇腹部が下側に下がりやすく、扉内板とドアガスケットのひれとの間に隙間が発生し、冷気が回り込んでしまうという課題が生じる。
【０００５】
また、従来の冷蔵庫は、扉が閉る時に支軸を中心に時計周りに回転し、ドアガスケットのマグネットが断熱箱体の内側から外側に向かって二重フランジに吸着するが、ドアガスケット密着部にはドアガスケット外側角部があり、また、断熱箱体の内箱より突出した二重フランジの間には段差がある。
【０００６】
従来の冷蔵庫は、ドアガスケットが二重フランジへ飛付く際、扉内側蛇腹部より、扉外側蛇腹部の周長（断面における曲線の長さ）が長く伸びやすい断面形状のため、扉が閉るときにドアガスケット扉外側角部が二重フランジに接近しやすい。
【０００７】
また、断熱箱体と扉とのクリアランスが小さい場合や、ドアガスケットの高さが高い場合は、ドアガスケット扉外側角部が二重フランジの段差に衝突することがある。更に扉が閉っていくと、ドアガスケット密着部が二重フランジの内側に巻き込まれ、扉が閉じられたときドアガスケット密着部が二重フランジに密着せず、冷気漏れや、外観不具合という課題が生じる。
【０００８】
この発明は、上記のような課題を解決するためになされたもので、ドアガスケットの飛付きを適正化し、かつ扉下辺に使用した際、ドアガスケットが下がりにくくすることで、二重フランジとの段差に衝突することなく、冷気漏れや、外観不具合のない、品質の優れた冷蔵庫を提供することを目的とする。
【課題を解決するための手段】
【０００９】
この発明に係る冷蔵庫は、断熱箱体の開口部周縁に吸着するマグネットを有し、庫内の冷気の外部への流出を防止する軟質樹脂製のドアガスケットを扉裏面に取り付けた冷蔵庫において、
前記ドアガスケットは、
前記マグネットを挿入するマグネット挿入部と、
該ドアガスケットを前記扉裏面に取り付けるアンカー部と、
前記アンカー部に一体に形成された取付部と、
前記マグネット挿入部と前記取付部との間に設けられ、最も扉外側に位置し、断面形状が略Ｕ字状で前記扉外側に向かって凸となっている伸縮自在な第１の蛇腹部と、
前記マグネット挿入部と前記取付部との間に設けられ、前記第１の蛇腹部よりも扉内側に位置し、断面形状が略Ｕ字状で前記扉内側に向かって凸となっている伸縮自在な第２の蛇腹部と、
前記第２の蛇腹部を前記取付部につなぐつなぎ部とを備えたことを特徴とする。
【発明の効果】
【００１０】
この発明に係る冷蔵庫は、第２の蛇腹部を取付部につなぐつなぎ部を備えたことにより、従来のドアガスケットに比べ、扉の下辺に位置するドアガスケットのマグネットの自重による変形が少なく、ドアガスケットと扉との間に隙間ができ冷気の庫外への流出するのを回避できる。
【発明を実施するための最良の形態】
【００１１】
実施の形態１．
図１乃至図６は実施の形態１を示す図で、図１は冷蔵庫の斜視図、図２は冷蔵室右扉５の正面側から見た斜視図、図３は図１のＺ−Ｚ断面部分拡大図、図４はドアガスケット２０の断面図、図５は冷蔵室右扉５が閉じる途中のドアガスケット２０付近の断面部分拡大図、図６は冷蔵室右扉５の下辺におけるドアガスケット２０の自重による変形の概略図である。図７は比較のために示す従来の冷蔵室右扉５の下辺におけるドアガスケット２０の自重による変形の概略図である。
【００１２】
図１により冷蔵庫１００の一例の構成を説明する。冷蔵庫１００は、鋼板製の外箱１と樹脂製の内箱２（図３参照）との間に断熱材を充填して形成され、一面（前面）が開口した開口部を有する箱状の断熱箱体３０を備える。断熱箱体３０の内部は、仕切部材により複数の室に仕切られている。
【００１３】
図１に示す冷蔵庫１００は、五つの室に仕切られている例である。上部に冷蔵室、中央左側に製氷室、下部左側に冷凍室、下部右側に野菜室が形成されている。尚、左右は、この明細書では冷蔵庫１００を正面から見たときの左右と定義する。
【００１４】
冷蔵庫１００上部に位置する冷蔵室の扉は、回転式であり、且つ左右の冷蔵室左扉４（扉の一例）、冷蔵室右扉５（扉の一例）に別れた両開きの扉である。
【００１５】
冷蔵庫１００中央左側に位置する製氷室扉６（扉の一例）も回転式の扉である。
【００１６】
冷蔵庫１００下部左側に位置する冷凍室扉７（扉の一例）も回転式の扉である。
【００１７】
冷蔵庫１００下部右側に位置する野菜室扉８（扉の一例）も回転式の扉である。
【００１８】
冷蔵庫１００は、圧縮機（図示せず）を用いた冷凍サイクルにより各室を冷却する冷気を生成する。冷凍サイクルの蒸発器（図示せず）において、冷媒と空気とが熱交換することで冷気が生成される。このとき空気中の水分が蒸発器において結露しやがて霜となる。蒸発器に付着した霜は、蒸発器の性能を維持するために定期的に例えば電気ヒータを用いて溶かされ、蒸発皿（図示せず）に貯留される。蒸発皿に貯留する除霜水は、例えば、冷凍サイクルの凝縮器で加熱して蒸発する。
【００１９】
蒸発皿は、冷蔵庫１００の最下部に配置される。この蒸発皿が外部から見えないようにするために、蒸発皿カバー９が冷蔵庫１００の最下部の蒸発皿の前面に設けられる。
【００２０】
図２により、冷蔵庫１００の扉の一つである冷蔵室右扉５の構成を説明する。他の扉も構成は同じであるので、説明は省略する。
【００２１】
冷蔵室右扉５は、正面意匠面を構成する鋼板製の扉外板１１と、扉内面を構成する樹脂製の扉内板１２（図３参照）と、扉外板１１の左端の１辺に嵌合するハンドル１３とにより上下端が開口した扉箱体を先ず形成する。
【００２２】
次に、上下端が開口した扉箱体の上端に扉上キャップ１４を、扉箱体の下端に扉下キャップ１５を取り付けて扉箱体が形成される。
【００２３】
さらに、扉箱体の内部に発泡断熱材を充填して冷蔵室右扉５の扉断熱箱体が形成される。扉断熱箱体にその他の部品（ドアガスケット２０（図３参照）等）を取り付けて冷蔵室右扉５が完成する。
【００２４】
図３に示すように、冷蔵室右扉５は断熱箱体３０にヒンジ（図示せず）を用いて取り付けられる。冷蔵室右扉５は支軸１７を中心に反時計方向（図３において）に回転して開放される。
【００２５】
冷蔵室右扉５を構成する扉内板１２の外周縁部の内側に、ドアガスケット２０が嵌め込まれるドアガスケット挿入溝１６が設けられる。ドアガスケット挿入溝１６は、扉内板１２の外周縁部に沿って四角形に形成されている。
【００２６】
扉内板１２のドアガスケット挿入溝１６に、冷蔵室の冷気の外部への流出を防止するドアガスケット２０が嵌め込まれる。
【００２７】
ドアガスケット２０の構成については後述するが、冷蔵室右扉５を閉めるときに、ドアガスケット２０に組み込まれるマグネット３１が断熱箱体３０の鋼板製の外箱１の前面に形成される二重フランジ３に磁気力により飛び付き、ドアガスケット密着部２５が二重フランジ３に密着する。
【００２８】
断熱箱体３０の鋼板製の外箱１の前面に形成される二重フランジ３は、二重に折り曲げるため二重フランジ３の先端は、内箱２の前面よりも前に出ている。この部分を段差１０と呼ぶ。
【００２９】
外箱１の前面に形成される二重フランジ３の裏面に、冷蔵室内側にその一部が露出している二重フランジ３が冷蔵室内の冷気により冷却されて結露することを防止する熱源として、冷凍サイクルにおける凝縮器の一部である高温の冷媒配管３２が設けられる。冷媒配管３２は、内箱２の凹部に嵌め込まれている。
【００３０】
図４により、ドアガスケット２０の構成を説明する。ドアガスケット２０は、塩化ビニール樹脂、エラストマー樹脂（軟質樹脂の一例）等の押出し成形により作られる。ドアガスケット２０は、断面が略長方形のマグネット３１を挿入するマグネット挿入部２７を備える。
【００３１】
マグネット挿入部２７の外箱１の前面に形成される二重フランジ３に対向する面を、ドアガスケット密着部２５とする。
【００３２】
マグネット挿入部２７の反対側に、扉内板１２のドアガスケット挿入溝１６に嵌め込まれるアンカー部２３（冷蔵室右扉５への取付部）が設けられる。
【００３３】
アンカー部２３の根元は、アンカー部２３に略直角な方向に形成された取付部３３になっている。取付部３３はアンカー部２３と一体である。
【００３４】
マグネット挿入部２７と取付部３３との間は、以下に示す伸縮自在な（１）〜（４）の蛇腹部で連結されている。
（１）第１の蛇腹部２１
第１の蛇腹部２１は、最も扉外側に形成される。その断面形状は略Ｕ字状で、扉外側に向かって凸となっている。
（２）第２の蛇腹部２２ａ
第２の蛇腹部２２ａは、第１の蛇腹部２１よりも扉内側に形成されている。その断面形状は細長い略Ｕ字状で、扉内側に向かって凸となっている。
（３）第３の蛇腹部２２ｂ
第３の蛇腹部２２ｂは、第２の蛇腹部２２ａよりもさらに扉内側で、第２の蛇腹部２２ａを囲むように形成されている。第２の蛇腹部２２ａと同様、その断面形状は略Ｕ字状で、扉内側に向かって凸となっている。
（４）つなぎ部２４
第２の蛇腹部２２ａと第３の蛇腹部２２ｂとは、つなぎ部２４で連結されている。第２の蛇腹部２２ａと取付部３３との間を直接つなぎ部２４で連結してもよい。つなぎ部２４を設けることにより、第２の蛇腹部２２ａの変形の支点が根元の取付部３３への連結部からつなぎ部２４との連結部に移動する。そのため、つなぎ部２４のないものに比べて、第２の蛇腹部２２ａの変形量が少なくなる。
【００３５】
各蛇腹部（つなぎ部２４を含む）の厚さ（各蛇腹部（つなぎ部２４を含む）を構成する塩化ビニール樹脂の厚さ）は、０．３〜０．４ｍｍ程度である。第１の蛇腹部２１の塩化ビニール樹脂の厚さは、その他の蛇腹部の塩化ビニール樹脂の厚さよりも厚くしている。その理由は後述する。
【００３６】
また、第１の蛇腹部２１の断面での周長（断面でのＵ字の全長）を、第２の蛇腹部２２ａ、第３の蛇腹部２２ｂの断面での周長（断面でのＵ字の全長）よりも短くしている。その理由は後述する。
【００３７】
第３の蛇腹部２２ｂの扉内側の面に、複数の柔軟性を有するヒレ片３４が設けられる。ヒレ片３４は、扉内板１２に当接して、例えばアンカー部２３が緩んで隙間ができたときの冷気の庫外外への冷気の流出を防止する。
【００３８】
第１の蛇腹部２１と、第２の蛇腹部２２ａとで袋状部を形成する。
【００３９】
ここで、ドアガスケット２０の構成に必須な構成要件をまとめる。
（１）マグネット挿入部２７；
（２）マグネット３１；
（３）アンカー部２３；
（４）取付部３３；
（５）第１の蛇腹部２１；
（６）第２の蛇腹部２２ａ；
（７）つなぎ部２４。
【００４０】
即ち、第３の蛇腹部２２ｂはなくてもよい。第３の蛇腹部２２ｂは、庫内外の断熱を一層向上させるために設けられる。第３の蛇腹部２２ｂを使用しない場合は、つなぎ部２４は、第２の蛇腹部２２ａと取付部３３とを連結する。また、ヒレ片３４は、第２の蛇腹部２２ａに設ける。
【００４１】
図５は冷蔵室右扉５が閉じる途中のドアガスケット２０付近の断面部分拡大図である。図５において、ドアガスケット２０のドアガスケット密着部２５と、外箱１の二重フランジ３の前面とのなす角度を入射角θとする。
【００４２】
第１の蛇腹部２１の断面での周長（断面でのＵ字の全長）を、第２の蛇腹部２２ａ、第３の蛇腹部２２ｂの断面での周長（断面でのＵ字の全長）よりも短くしているため、また、第１の蛇腹部２１の塩化ビニール樹脂の厚さを、その他の蛇腹部の塩化ビニール樹脂の厚さよりも厚くしているため、冷蔵室右扉５を閉じる動作がなされ、ドアガスケット２０のマグネット３１が外箱１の二重フランジ３の前面に飛び付く際に、第１の蛇腹部２１の外箱１の二重フランジ３の前面方向への伸びが抑制されるとともに、第２の蛇腹部２２ａ、第３の蛇腹部２２ｂが伸びる。
【００４３】
そのため、冷蔵室右扉５を閉じる際に、ドアガスケット２０のドアガスケット外側角部２６が、外箱１の二重フランジ３の段差１０に衝突する恐れが少なくなる。
【００４４】
また、第１の蛇腹部２１の外箱１の二重フランジ３の前面方向への伸びが抑制されることで、ドアガスケット２０のドアガスケット密着部２５と外箱１の二重フランジ３の前面とのなす角度である入射角θが小さくなる。それにより、ドアガスケット密着部２５が外箱１の二重フランジ３の前面に密着するタイミングが遅くなる。従って、ドアガスケット密着部２５が外箱１の二重フランジ３の前面に密着した後の扉外側への移動量が小さくなる。移動量が小さくなると、ドアガスケット２０がこじれにくく、かつ、ドアガスケット密着部２５の摺動距離を減らし、摺動音を低減することができる。
【００４５】
尚、第１の蛇腹部２１の断面での周長（断面でのＵ字の全長）を、第２の蛇腹部２２ａ、第３の蛇腹部２２ｂの断面での周長（断面でのＵ字の全長）よりも短くしているため、また、第１の蛇腹部２１の厚さを、その他の蛇腹部の厚さよりも厚くしているため、冷蔵室右扉５を閉じる動作がなされ、ドアガスケット２０のマグネット３１が外箱１の二重フランジ３の前面に飛び付く際に、第１の蛇腹部２１の外箱１の二重フランジ３の前面方向への伸びが抑制されるとともに、第２の蛇腹部２２ａ、第３の蛇腹部２２ｂが伸びるが、第２の蛇腹部２２ａ、第３の蛇腹部２２ｂが伸びすぎて入射角θ（図５参照）がマイナスになり、ドアガスケット密着部２５が外箱１の二重フランジ３の前面に密着するタイミングが逆に早くなるおそれがある。しかし、第２の蛇腹部２２ａと第３の蛇腹部２２ｂとの間、又は第２の蛇腹部２２ａと取付部３３との間をつなぐつなぎ部２４があるため、第２の蛇腹部２２ａ、第３の蛇腹部２２ｂが伸びすぎると入射角θがマイナスになり、ドアガスケット密着部２５が外箱１の二重フランジ３の前面に密着するタイミングが逆に早くなるのを回避できる。
【００４６】
冷蔵室右扉５の下辺に位置するドアガスケット２０は、マグネット３１の自重により大きく変形する。
【００４７】
図７は比較のために示す従来の冷蔵室右扉５の下辺に位置するドアガスケット２０の変形を示している。従来のドアガスケット２０は、第２の蛇腹部２２ａと第３の蛇腹部２２ｂとの間、又は第２の蛇腹部２２ａと取付部３３との間をつなぎ部２４で連結していないため、マグネット３１の自重により大きく変形する。
【００４８】
そのため、ヒレ片３４と扉内板１２との間に隙間ができ、冷気の庫外への流出が生じる。
【００４９】
本実施の形態のドアガスケット２０は、第２の蛇腹部２２ａと第３の蛇腹部２２ｂとの間、又は第２の蛇腹部２２ａと取付部３３との間をつなぎ部２４で連結している。つなぎ部２４がない場合は、第２の蛇腹部２２ａはその根元の取付部３３への連結部を支点にして変形するが、つなぎ部２４を設けると第２の蛇腹部２２ａの変形の支点が、根元の取付部３３への連結部からつなぎ部２４との連結部に移動する。そのため、図６に示すように、従来のドアガスケット２０に比べ、冷蔵室右扉５の下辺に位置するドアガスケット２０の変形が少なく、ヒレ片３４と扉内板１２との間に隙間ができ冷気の庫外への流出が生じるのを回避できる。
【００５０】
以上のように、本実施の形態によれば、第１の蛇腹部２１の断面での周長（断面でのＵ字の全長）を、第２の蛇腹部２２ａ、第３の蛇腹部２２ｂの断面での周長（断面でのＵ字の全長）よりも短くしているため、また、第１の蛇腹部２１の厚さを、その他の蛇腹部の厚さよりも厚くしているため、冷蔵室右扉５を閉じる動作がなされ、ドアガスケット２０のマグネット３１が外箱１の二重フランジ３の前面に飛び付く際に、第１の蛇腹部２１の外箱１の二重フランジ３の前面方向への伸びが抑制されるとともに、第２の蛇腹部２２ａ、第３の蛇腹部２２ｂが伸びるため、冷蔵室右扉５を閉じる際に、ドアガスケット２０のドアガスケット外側角部２６が、外箱１の二重フランジ３の段差１０に衝突する恐れが少なくなる。
【００５１】
また、第２の蛇腹部２２ａと第３の蛇腹部２２ｂとの間、又は第２の蛇腹部２２ａと取付部３３との間をつなぐつなぎ部２４があるため、第２の蛇腹部２２ａ、第３の蛇腹部２２ｂが伸びすぎて入射角θがマイナスになり、ドアガスケット密着部２５が外箱１の二重フランジ３の前面に密着するタイミングが逆に早くなるのを回避できる。
【００５２】
また、第１の蛇腹部２１の外箱１の二重フランジ３の前面方向への伸びが抑制されることで、ドアガスケット２０のドアガスケット密着部２５と外箱１の二重フランジ３の前面とのなす角度である入射角θが小さくなることにより、ドアガスケット密着部２５が外箱１の二重フランジ３の前面に密着するタイミングが遅くなる。従って、ドアガスケット密着部２５が外箱１の二重フランジ３の前面に密着した後の扉外側への移動量が小さくなり、ドアガスケット２０がこじれにくく、かつ、ドアガスケット密着部２５の摺動距離を減らし、摺動音を低減することができる。
【００５３】
また、ドアガスケット２０は、第２の蛇腹部２２ａと第３の蛇腹部２２ｂとの間、又は第２の蛇腹部２２ａと取付部３３との間をつなぎ部２４で連結しているので、従来のドアガスケット２０に比べて冷蔵室右扉５の下辺に位置するドアガスケット２０の変形が少なく、ヒレ片３４と扉内板１２との間に隙間ができ冷気の庫外への流出が生じるのを回避できる。
【００５４】
上記の説明では、冷蔵庫１００として、庫内が五つの室に仕切られ、上部に冷蔵室、中央左側に製氷室、下部左側に冷凍室、下部右側に野菜室が形成されているものを例に説明したが、冷蔵庫の形態は問わない。どのような形態の冷蔵庫でもよい。
【００５５】
また、回転式の扉を例に説明したが、引き出し式の扉にも本実施の形態は適用できる。
【００５６】
また、ドアガスケット２０は、第２の蛇腹部２２ａと第３の蛇腹部２２ｂとの間、又は第２の蛇腹部２２ａと取付部３３との間を連結しているつなぎ部２４を、アンカー部２３の上側に設けているが（図４参照）、アンカー部２３の上側でなくてもよい。
【００５７】
また、マグネット挿入部２７をアンカー部２３よりも扉外側に設けているが、マグネット挿入部２７の位置は何処でもよい。
【００５８】
また、塩化ビニール樹脂の押し出し成形を例に説明したが、エラストマー樹脂の押し出し成形品にも本実施の形態は適用できる。
【図面の簡単な説明】
【００５９】
【図１】実施の形態１を示す図で、冷蔵庫の斜視図。
【図２】実施の形態１を示す図で、冷蔵室右扉５の正面側から見た斜視図。
【図３】実施の形態１を示す図で、図１のＺ−Ｚ断面部分拡大図。
【図４】実施の形態１を示す図で、ドアガスケット２０の断面図。
【図５】実施の形態１を示す図で、冷蔵室右扉５が閉じる途中のドアガスケット２０付近の断面部分拡大図。
【図６】実施の形態１を示す図で、冷蔵室右扉５の下辺におけるドアガスケット２０の自重による変形の概略図。
【図７】比較のために示す従来の冷蔵室右扉５の下辺におけるドアガスケット２０の自重による変形の概略図。
【符号の説明】
【００６０】
１  外箱、２  内箱、３  二重フランジ、４  冷蔵室左扉、５  冷蔵室右扉、６  製氷室扉、７  冷凍室扉、８  野菜室扉、９  蒸発皿カバー、１０  段差、１１  扉外板、１２  扉内板、１３  ハンドル、１４  扉上キャップ、１５  扉下キャップ、１６  ドアガスケット挿入溝、１７  支軸、２０  ドアガスケット、２１  第１の蛇腹部、２２ａ  第２の蛇腹部、２２ｂ  第３の蛇腹部、２３  アンカー部、２４  つなぎ部、２５  ドアガスケット密着部、２６  ドアガスケット外側角部、２７  マグネット挿入部、３０  断熱箱体、３１  マグネット、３２  冷媒配管、３３  取付部、３４  ヒレ片、１００  冷蔵庫。
【図１】
0004986933.tif 000002
【図２】
0004986933.tif 000003
【図３】
0004986933.tif 000004
【図４】
0004986933.tif 000005
【図５】
0004986933.tif 000006
【図６】
0004986933.tif 000007
【図７】
0004986933.tif 000008